(57)【要約】【課題】ファクシミリ装置の使い勝手を向上させる。【解決手段】本発明は、モデムに回線用コネクタを接続し、モデム及び回線用コネクタにスイッチを介して電話機用コネクタを接続して、切換制御部が、待受状態ではスイッチをオンにしてモデム及び回線用コネクタに電話機用コネクタを接続し、ファクシミリ通信制御部により回線捕捉されたときには所定時間待機した後、スイッチをオフにしてモデム及び回線用コネクタから電話機用コネクタを切り離すことにより、モデムに電話回線及び電話機が逆接続されていても、回線捕捉してスイッチの切り換えを待機している間に電話交換機にループ閉成を確実に検出させて、スイッチの切換処理や回線捕捉処理及び回線開放処理を無駄に繰り返し実行せずに受信処理を速やかに終了することができ、ファクシミリ装置の使い勝手を向上させることができる。【選択図】図４
2017028580.tif 000002
【特許請求の範囲】
【請求項１】
電話回線及び電話機が接続される同一構造の回線用コネクタ及び電話機用コネクタと、
前記回線用コネクタに接続されるモデムと、
前記モデム及び前記回線用コネクタに対して前記電話機用コネクタを接続し、また切り離すスイッチと、
前記電話回線を介して送信された呼出信号が前記モデムによって受信されると、回線捕捉処理を実行して回線捕捉するファクシミリ通信制御部と、
前記モデムにより前記呼出信号の受信を待ち受ける待受状態では、前記スイッチをオンにして前記モデム及び前記回線用コネクタに前記電話機用コネクタを接続し、前記ファクシミリ通信制御部により前記回線捕捉されると、所定時間、前記スイッチの切り換えを待機した後、当該スイッチをオフにして前記モデム及び前記回線用コネクタから前記電話機用コネクタを切り離す切換制御部と
を具えるファクシミリ装置。
【請求項２】
前記回線用コネクタ及び前記電話機用コネクタに対する前記電話回線及び前記電話機の接続状態を検出する検出部
を具え、
前記切換制御部は、
前記検出部による前記接続状態の検出結果に応じて、前記回線用コネクタに前記電話回線が接続され、かつ前記電話機用コネクタに前記電話機が接続されている場合、前記ファクシミリ通信制御部により前記回線捕捉されると、前記スイッチの切り換えを待機せずに、当該スイッチをオフにして前記モデム及び前記回線用コネクタから前記電話機用コネクタを切り離し、前記回線用コネクタに前記電話機が接続され、かつ前記電話機用コネクタに前記電話回線が接続されている場合、前記ファクシミリ通信制御部により前記回線捕捉されると、前記所定時間、前記スイッチの切り換えを待機した後、当該スイッチをオフにして前記モデム及び前記回線用コネクタから前記電話機用コネクタを切り離す
請求項１に記載のファクシミリ装置。
【請求項３】
前記検出部による前記接続状態の検出結果を通知する通知部
を具える請求項２に記載のファクシミリ装置。
【請求項４】
電話回線及び電話機が接続される同一構造の回線用コネクタ及び電話機用コネクタと、
前記回線用コネクタに接続されるモデムと、
前記モデム及び前記回線用コネクタに対して前記電話機用コネクタを接続し、また切り離すスイッチと、
前記回線用コネクタ及び前記電話機用コネクタに対する前記電話回線及び前記電話機の接続状態を検出する検出部と
を具えるファクシミリ装置。
【請求項５】
ファクシミリ通信の実行が指示されると、前記モデムを介して前記ファクシミリ通信を行うファクシミリ通信制御部と、
前記ファクシミリ通信の待受状態では、前記スイッチをオンにして前記モデム及び前記回線用コネクタに前記電話機用コネクタを接続し、前記ファクシミリ通信制御部により前記ファクシミリ通信が行われる際には、前記スイッチをオフにして前記モデム及び前記回線用コネクタから前記電話機用コネクタを切り離す切換制御部と
を具え、
前記ファクシミリ通信制御部は、
前記検出部による前記接続状態の検出結果に応じて、前記回線用コネクタに前記電話回線が接続され、かつ前記電話機用コネクタに前記電話機が接続されている場合、前記ファクシミリ通信の実行が指示されると、前記モデムを介して前記ファクシミリ通信を行い、前記回線用コネクタに前記電話機が接続され、かつ前記電話機用コネクタに前記電話回線が接続されている場合、前記ファクシミリ通信の実行が指示されても当該ファクシミリ通信を行わない
請求項４に記載のファクシミリ装置。
【請求項６】
前記検出部による前記接続状態の検出結果を通知する通知部
を具える請求項４又は請求項５に記載のファクシミリ装置。
【請求項７】
前記通知部は、
前記回線用コネクタに前記電話機が接続され、かつ前記電話機用コネクタに前記電話回線が接続されているために、ファクシミリ通信の実行が指示されても当該ファクシミリ通信が行われないとき、前記接続状態の検出結果を通知する
請求項６に記載のファクシミリ装置。
【発明の詳細な説明】
【技術分野】
【０００１】
本発明はファクシミリ装置に関し、例えば内蔵のモデムに外部の電話回線及び電話機が接続されるファクシミリ装置に適用して好適なものである。
【背景技術】
【０００２】
従来のファクシミリ装置は、リレーを制御して電話回線に対するＦＡＸ本体と外付電話機との接続を切り換えるようにして、待機中は電話回線に外付電話機を接続している。そしてファクシミリ装置は、ＦＡＸ本体が自動着信モードに設定されている場合、外部からの呼出信号を検出すると、電話回線にＦＡＸ本体を接続してＦＡＸ受信モードに移行すると共に、電話回線及びＦＡＸ本体から外付電話機を切り離している。これによりファクシミリ装置は、ＦＡＸ受信モードにおいて外部からのファクシミリ画像データが、外付電話機に誤ってオフフックされて入力される音声信号がノイズとなって重畳して的確に受信し得なくなることを回避していた（例えば、特許文献１参照）。
【先行技術文献】
【特許文献】
【０００３】
【特許文献１】特開平５−５６２１０号公報（第２頁、第３頁、図１）
【発明の概要】
【発明が解決しようとする課題】
【０００４】
ところで従来のファクシミリ装置は、自動着信モードで、外部の電話交換機から電話回線を介して送信された呼出信号を受信すると、これに応じてＦＡＸ本体がＦＡＸ受信モードに移行することで、電話交換機との通信接続用に回線捕捉処理を実行して回線捕捉している。また電話交換機は、電話回線を介してファクシミリ装置の回線捕捉によるループ閉成を検出すると、呼出信号の送信を停止して次の処理を行うことができ、当該ファクシミリ装置にファクシミリ通信の発信元から与えられたファクシミリ画像データ等を送信している。
【０００５】
ところがファクシミリ装置には、電話回線を接続するための回線用コネクタ及び外付電話機を接続するための電話機用コネクタとして同一構造のものが設けられている。このためファクシミリ装置では、誤って回線用コネクタ及び電話機用コネクタに電話回線及び外付電話機が正常な接続状態とは逆に接続される場合がある。この場合、ファクシミリ装置は、自動着信モードで呼出信号を受信すると、ＦＡＸ本体が回線捕捉しても、リレーを制御して外付電話機にＦＡＸ本体を接続し、当該外付電話機及びＦＡＸ本体から電話回線を切り離すことになる。また電話交換機は、ファクシミリ装置においてＦＡＸ本体が回線捕捉しても、直ちに電話回線が切り離されると、ファクシミリ装置の回線捕捉によるループ閉成を検出することができずに呼出信号を送信し続けることになる。
【０００６】
そしてファクシミリ装置は、リレーを制御して外付電話機及びＦＡＸ本体から電話回線を切り離すと、リレーを制御して外付電話機に電話回線を接続すると共に、ＦＡＸ本体が電話交換機との通信接続の解除用に回線開放処理を実行して回線開放する。ただしファクシミリ装置は、この際に電話交換機がまだ呼出信号を送信していると、当該呼出信号を受信して再度、回線捕捉しつつ電話回線を切り離すことになる。このように従来のファクシミリ装置は、電話回線及び外付電話機が逆接続されていると、自動着信モードで呼出信号を受信した際、電話交換機がループ閉成を検出し得ないために、発信元がファクシミリ装置に対する呼び出しを継続する間、リレーの制御と共に、回線捕捉処理及び回線開放処理を無駄に実行し続け、使い勝手がわるいという問題があった。
【０００７】
本発明は以上の点を考慮してなされたもので、使い勝手を向上し得るファクシミリ装置を提案しようとするものである。
【課題を解決するための手段】
【０００８】
かかる課題を解決するため本発明においては、電話回線及び電話機が接続される同一構造の回線用コネクタ及び電話機用コネクタと、回線用コネクタに接続されるモデムと、モデム及び回線用コネクタに対して電話機用コネクタを接続し、また切り離すスイッチと、電話回線を介して送信された呼出信号がモデムによって受信されると、回線捕捉処理を実行して回線捕捉するファクシミリ通信制御部と、モデムにより呼出信号の受信を待ち受ける待受状態では、スイッチをオンにしてモデム及び回線用コネクタに電話機用コネクタを接続し、ファクシミリ通信制御部により回線捕捉されると、所定時間、スイッチの切り換えを待機した後、当該スイッチをオフにしてモデム及び回線用コネクタから電話機用コネクタを切り離す切換制御部とを設けるようにした。
【０００９】
従って本発明では、モデムに電話回線及び電話機が逆接続されていても、モデムで呼出信号を受信したことに応じて回線捕捉した際、スイッチの切り換えを待機している間に電話交換機に回線捕捉によるループ閉成を確実に検出させることができ、その結果、スイッチの切換処理や回線捕捉処理及び回線開放処理を無駄に繰り返し実行することなく、受信処理を速やかに終了することができる。
【００１０】
また本発明においては、電話回線及び電話機が接続される同一構造の回線用コネクタ及び電話機用コネクタと、回線用コネクタに接続されるモデムと、モデム及び回線用コネクタに対して電話機用コネクタを接続し、また切り離すスイッチと、回線用コネクタ及び電話機用コネクタに対する電話回線及び電話機の接続状態を検出する検出部とを設けるようにした。
【００１１】
従って本発明では、モデムに電話回線及び電話機が逆接続されていても、モデムで呼出信号を受信したことに応じて回線捕捉した際のスイッチの切換を、モデムに対する電話回線及び電話機の接続状態の検出結果に応じて待機させるように制御して、電話交換機に回線捕捉によるループ閉成を確実に検出させることができ、その結果、スイッチの切換処理や回線捕捉処理及び回線開放処理を無駄に繰り返し実行することなく、受信処理を速やかに終了することができる。
【発明の効果】
【００１２】
本発明によれば、電話回線及び電話機が接続される同一構造の回線用コネクタ及び電話機用コネクタと、回線用コネクタに接続されるモデムと、モデム及び回線用コネクタに対して電話機用コネクタを接続し、また切り離すスイッチと、電話回線を介して送信された呼出信号がモデムによって受信されると、回線捕捉処理を実行して回線捕捉するファクシミリ通信制御部と、モデムにより呼出信号の受信を待ち受ける待受状態では、スイッチをオンにしてモデム及び回線用コネクタに電話機用コネクタを接続し、ファクシミリ通信制御部により回線捕捉されると、所定時間、スイッチの切り換えを待機した後、当該スイッチをオフにしてモデム及び回線用コネクタから電話機用コネクタを切り離す切換制御部とを設けることにより、モデムに電話回線及び電話機が逆接続されていても、モデムで呼出信号を受信したことに応じて回線捕捉した際、スイッチの切り換えを待機している間に電話交換機に回線捕捉によるループ閉成を確実に検出させることができ、その結果、スイッチの切換処理や回線捕捉処理及び回線開放処理を無駄に繰り返し実行することなく、受信処理を速やかに終了することができ、かくして使い勝手を向上し得るファクシミリ装置を実現することができる。
【００１３】
また本発明によれば、電話回線及び電話機が接続される同一構造の回線用コネクタ及び電話機用コネクタと、回線用コネクタに接続されるモデムと、モデム及び回線用コネクタに対して電話機用コネクタを接続し、また切り離すスイッチと、回線用コネクタ及び電話機用コネクタに対する電話回線及び電話機の接続状態を検出する検出部とを設けることにより、モデムに電話回線及び電話機が逆接続されていても、モデムで呼出信号を受信したことに応じて回線捕捉した際のスイッチの切換を、モデムに対する電話回線及び電話機の接続状態の検出結果に応じて待機させるように制御して、電話交換機に回線捕捉によるループ閉成を確実に検出させることができ、その結果、スイッチの切換処理や回線捕捉処理及び回線開放処理を無駄に繰り返し実行することなく、受信処理を速やかに終了することができ、かくして使い勝手を向上し得るファクシミリ装置を実現することができる。
【図面の簡単な説明】
【００１４】
【図１】本発明によるファクシミリ通信システムの構成を示すブロック図である。
【図２】第１ファクシミリ装置の回路構成を示すブロック図である。
【図３】通信部の回路構成を示すブロック図である。
【図４】ファクシミリ通信処理手順（１）を示すフローチャートである。
【図５】ファクシミリ通信処理手順（２）を示すフローチャートである。
【図６】接続状態検出処理手順を示すフローチャートである。
【図７】送信処理手順を示すフローチャートである。
【図８】受信処理手順を示すフローチャートである。
【図９】他の実施の形態による送信処理手順を示すフローチャートである。
【発明を実施するための形態】
【００１５】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）他の実施の形態
【００１６】
（１）第１の実施の形態
（１−１）ファクシミリ通信システムの構成
図１において、１は全体として第１の実施の形態によるファクシミリ通信システムを示す。ファクシミリ通信システム１は、本発明を適用した第１ファクシミリ装置２に電話機３が有線接続された状態で、当該第１ファクシミリ装置２及び電話機３が共に第１電話回線４及び第１電話交換機５を順次介して、公衆電話網やローカル電話網等の電話網６に接続されている。またファクシミリ通信システム１は、第２ファクシミリ装置７が第２電話回線８及び第２電話交換機９を順次介して電話網６に接続されている。因みにファクシミリ通信システム１は、例えば図示しない他の電話機が、図示しない他の電話回線及び図示しない他の電話交換機を順次介して電話網６に接続されている。
【００１７】
これによりファクシミリ通信システム１は、第１ファクシミリ装置２と第２ファクシミリ装置７とをファクシミリ通信が可能なように、第１電話回線４及び第１電話交換機５と第２電話回線８及び第２電話交換機９とを介して電話網６に接続し、また電話機３と他の電話機とを音声通信が可能なように、第１電話回線４及び第１電話交換機５と他の電話回線及び他の電話交換機とを介して電話網６に接続して構築されている。因みに第１電話回線４及び第２電話回線８は、第１電話交換機５を第１ファクシミリ装置２及び電話機３と物理的に接続するために構築され、また第２電話交換機９を第２ファクシミリ装置７と物理的に接続するために構築された伝送路である。
【００１８】
（１−２）第１ファクシミリ装置の回路構成
次いで図２を用いて、第１の実施の形態による第１ファクシミリ装置２の回路構成について説明する。第１ファクシミリ装置２は、例えばマイクロプロセッサ構成の制御部２０にバス２１を介して表示部２２、操作パネル２３、ハードディスクドライブのような記憶部２４、画像読取部２５、画像形成部２６、及び通信部２７が接続され、当該通信部２７には、さらに第１電話回線４及び電話機３が接続されている。そして制御部２０は、例えば記憶部２４から予め記憶した基本プログラムや、受信処理プログラム等の各種プログラムを適宜読み出し、これら各種プログラムに従って第１ファクシミリ装置２全体を統括制御すると共に、所定の演算処理や、操作パネル２３の操作によって入力される操作コマンドに応じた各種処理を実行することにより各種機能を実現する。
【００１９】
なお以下には、図２において制御部２０が各種プログラムに従って実現する各種機能をそれぞれ便宜上、機能回路ブロックとして示して、当該制御部２０が各種プログラムに従って実行する種々の処理を、その機能回路ブロックが実行する処理として説明する。なお第１ファクシミリ装置２は、以下に示す機能回路ブロックと同様の処理を実行可能なハードウェア構成の回路ブロックを設け、制御部２０が実行する種々の処理を、その回路ブロックによって実行するように構成することもできる。
【００２０】
ファクシミリ通信制御部３０は、通信部２７を制御して、例えば第２ファクシミリ装置７とＩＴＵ−Ｔ（International  Telecommunication  Union  Telecommunication  Standardization  Sector）の勧告Ｔ．３０によって規定された伝送制御手順に従い種々の手順信号やファクシミリ画像データを送信し、また受信するようにしてファクシミリ通信を行う。実際にファクシミリ通信制御部３０は、操作パネル２３を介して第２ファクシミリ装置７の電話番号が入力されたうえでファクシミリ通信の実行が指示されると、第１ファクシミリ装置２を発信元として第２ファクシミリ装置７とファクシミリ通信して、送信対象のファクシミリ画像データを通信部２７から第１電話交換機５、電話網６及び第２電話交換機９を順次介して第２ファクシミリ装置７へ送信する。
【００２１】
これに対してファクシミリ通信制御部３０は、第２ファクシミリ装置７による発呼要求に応じて第１電話交換機５から送信された手順信号としての呼出信号を通信部２７で受信すると、第２ファクシミリ装置７を発信元としてファクシミリ通信して、当該第２ファクシミリ装置７から第２電話交換機９、電話網６及び第１電話交換機５を順次介して送信されたファクシミリ画像データを通信部２７によって受信する。なお通信部２７は、後述するようにモデムが設けられている。モデムは、ファクシミリ通信時、ファクシミリ通信制御部３０から与えられた種々の手順信号やファクシミリ画像データを通信用に変調して第１電話交換機５へ送信し、その第１電話交換機５から受信した、通信用に変調されている種々の手順信号やファクシミリ画像データを復調してファクシミリ通信制御部３０に送出するものである。
【００２２】
また読取制御部３１は、例えばファクシミリ通信において第１ファクシミリ装置２が発信元の場合、画像読取部２５を制御する。これにより画像読取部２５は、原稿用紙の一面から文字や図形等の原稿画像を光学的に読み取って、送信対象のファクシミリ画像データの元になる原稿画像データを生成する。そして画像処理制御部３２は、この際、画像読取部２５により生成された原稿画像データを符号化して送信対象のファクシミリ画像データを生成する。これに対して画像処理制御部３２は、例えばファクシミリ通信により第２ファクシミリ装置７から送信されたファクシミリ画像データが通信部２７で受信されると、当該ファクシミリ画像データを復号して元の原稿画像データを生成する。そしてプリント制御部３３は、この際、画像処理制御部３２によって生成された原稿画像データに基づいて画像形成部２６を制御する。これにより画像形成部２６は、媒体の一面に原稿画像データに基づく原稿画像を形成（すなわち印刷）する。
【００２３】
これに加えて表示制御部３４は、例えばファクシミリ通信時、表示部２２に第１ファクシミリ装置２のステータス情報等を表示する。また表示制御部３４は、例えばファクシミリ通信において第２ファクシミリ装置７が発信元の場合、通信部２７によって呼出信号が受信された後、第１電話交換機５から送信された手順信号としての発信者番号通知信号が受信されると、表示部２２に発信者番号通知信号に基づき第２ファクシミリ装置７の電話番号を表示して、ユーザに発信元を通知することができる。因みにジョブ制御部３５は、第１ファクシミリ装置２が実行するファクシミリ通信のジョブ管理や、画像形成部２６が実行する画像形成処理（すなわち印刷処理）のジョブ管理を行う。またデータ制御部３６は、記憶部２４に対する、画像読取部２５により生成された原稿画像データや画像処理制御部３２によって生成された原稿画像データの書き込み及び読み出しを行う。
【００２４】
ところで図３に示すように、通信部２７は、ファクシミリ通信用のモデム４０と、バス接続端子４１とが設けられ、当該モデム４０がバス接続端子４１に接続されている。そして通信部２７は、バス接続端子４１にバス２１を介して制御部２０が接続されている。また通信部２７は、例えば第１電話回線４を接続するためのモジュラジャックである回線用コネクタ４２と、電話機３を接続するためのモジュラジャックである電話機用コネクタ４３と、スイッチ４４とが設けられている。そして回線用コネクタ４２は、モデム４０に固定的に接続されている。また電話機用コネクタ４３は、スイッチ４４を介してモデム４０及び回線用コネクタ４２の接続中点に接続されている。
【００２５】
よって通信部２７は、スイッチ４４をオンした場合（すなわちスイッチ４４の接点を接続した場合）、モデム４０及び回線用コネクタ４２に電話機用コネクタ４３を接続する。また通信部２７は、スイッチ４４をオフした場合（すなわちスイッチ４４の接点を離した場合）、モデム４０に回線用コネクタ４２を接続しつつも、当該モデム４０及び回線用コネクタ４２から電話機用コネクタ４３を切り離す。そして通信部２７のスイッチ４４は、ファクシミリ通信制御部３０が切換制御している。すなわちファクシミリ通信制御部３０は、通信部２７において回線用コネクタ４２に第１電話回線４が接続され、かつ電話機用コネクタ４３に電話機３が接続されていると、スイッチ４４をオンした場合、第１電話回線４にモデム４０と電話機３とを並列接続する。またファクシミリ通信制御部３０は、通信部２７においてスイッチ４４をオフした場合、第１電話回線４にモデム４０を接続しつつ、当該モデム４０及び第１電話回線４から電話機３を切り離す。
【００２６】
実際に第１ファクシミリ装置２には、ファクシミリ通信用に１個の電話番号が割り当てられている。また電話機３は、第１ファクシミリ装置２の通信部２７を介して当該第１ファクシミリ装置２と同一の第１電話回線４に接続されている。よって電話機３には、第１ファクシミリ装置２の電話番号が音声通信用に兼用されて割り当てられている。すなわち第１ファクシミリ装置２及び電話機３には、同一の電話番号が割り当てられている。このためファクシミリ通信制御部３０は、通常、通信の待受状態となり、その待受状態では、通信部２７においてスイッチ４４をオンにしておくことで、第１電話回線４に電話機３を接続している。これによりファクシミリ通信制御部３０は、電話機３を発呼や着呼による他の電話機との音声通信に使用し易くしている。
【００２７】
またファクシミリ通信制御部３０は、待受状態で操作パネル２３を介してファクシミリ通信の実行が指示された場合、通信部２７においてスイッチ４４をオンからオフに切り換えてモデム４０及び第１電話回線４から電話機３を切り離す。そしてファクシミリ通信制御部３０は、第１ファクシミリ装置２を発信元として第２ファクシミリ装置７とファクシミリ通信する。これによりファクシミリ通信制御部３０は、ファクシミリ通信中、電話機３に誤ってオフフックされた受話器を介して音声信号が入力されても、通信部２７によって送受信するファクシミリ通信用の種々の手順信号や第２ファクシミリ装置７へ送信するファクシミリ画像データに当該音声信号がノイズとして重畳されることを回避している。
【００２８】
ところで電話機３は、待受状態で、第２ファクシミリ装置７による発呼要求に応じて第１電話交換機５から呼出信号が送信された際に受話器がオフフックされると、ファクシミリ通信による呼び出しであっても、第１電話交換機５と通信接続することになる。この際、ファクシミリ通信制御部３０は、ユーザがファクシミリ通信であることに気付いて操作パネル２３を操作すると、電話機３に換えてモデム４０を第１電話交換機５と通信接続してファクシミリ通信を行うことができるが、ユーザの操作が煩雑となる。
【００２９】
このためファクシミリ通信制御部３０は、例えばユーザによる操作パネル２３の操作に応じて、待受時の受信モードをファクシミリ自動受信モードに設定することができる。ここでファクシミリ自動受信モードは、待受状態で第１電話交換機５から呼出信号が送信されると、モデム４０で当該呼出信号を受信し、その受信に応じて自動的に第１電話交換機５と通信接続してファクシミリ通信を可能とする受信モードである。実際にファクシミリ通信制御部３０は、ファクシミリ自動受信モードに設定している場合、第１電話交換機５から送信された呼出信号をモデム４０で受信すると、当該呼出信号の受信時点から例えば着信音を１又は複数回鳴らすような所定の時間に達した時点にファクシミリ通信による呼び出しであると見なして、自動的に回線捕捉処理を実行して回線捕捉することで第１電話交換機５と通信接続する。
【００３０】
ただしファクシミリ通信の伝送制御手順では、第１電話交換機５や第２電話交換機９がファクシミリ通信の際、呼出信号の送信先の回線捕捉によるループ閉成を検出すると、当該送信先に、通信の種類がファクシミリ通信であることを識別させるための所定のトーン信号であるファクシミリ識別信号を送信するように規定されている。よってファクシミリ通信制御部３０は、回線捕捉後にモデム４０により、第１電話交換機５から送信されたファクシミリ識別信号を受信すると、この際の通信がファクシミリ通信であると判断する。これによりファクシミリ通信制御部３０は、引き続きモデム４０により例えば第２ファクシミリ装置７から第１電話交換機５経由で送信されたファクシミリ画像データを受信した後、回線開放処理を実行して回線開放することで第１電話交換機５との通信接続を解除する。
【００３１】
因みにファクシミリ通信制御部３０は、回線捕捉後、ある程度の時間が経過してもモデム４０によりファクシミリ識別信号を受信しない場合は、この際の通信がファクシミリ通信ではないと判断する。よってファクシミリ通信制御部３０は、回線開放処理を実行して回線開放することで第１電話交換機５との通信接続を解除する。なおファクシミリ通信制御部３０は、ファクシミリ自動受信モードで呼出信号を受信して回線捕捉すると、この場合も通信部２７においてスイッチ４４をオンからオフに切り換えてモデム４０及び第１電話回線４から電話機３を切り離している。
【００３２】
ところで回線用コネクタ４２及び電話機用コネクタ４３は、互いに形状や接続ピン配置等が等しい同一構造を有するように形成されている。このため通信部２７では、誤って回線用コネクタ４２に電話機３が接続され、かつ電話機用コネクタ４３に第１電話回線４が接続される（すなわち通信部２７に第１電話回線４及び電話機３が逆接続される）場合がある。この場合、ファクシミリ通信制御部３０は、ファクシミリ自動受信モードでモデム４０により呼出信号を受信すると、上述と同様に回線捕捉処理を実行して回線捕捉することで第１電話交換機５と通信接続する。そのうえでファクシミリ通信制御部３０は、通信部２７においてスイッチ４４をオンからオフに切り換えるものの、通信部２７に対して第１電話回線４及び電話機３が逆接続されているため、モデム４０から電話機３ではなく第１電話回線４を切り離すことになる。
【００３３】
そして第１電話交換機５は、仮にファクシミリ通信制御部３０が回線捕捉したとき直ちにスイッチ４４をオフにしてモデム４０から第１電話回線４を切り離すと、当該第１電話回線４の切り離しにより、第１ファクシミリ装置２の回線捕捉によるループ閉成を検出し得ない場合がある。この場合、第１電話交換機５は、ループ閉成を検出し得ないことで、ファクシミリ通信の伝送制御手順に従った次の処理を実行することができず、引き続き呼出信号を第１ファクシミリ装置２に送信することになる。
【００３４】
一方、ファクシミリ通信制御部３０は、第１電話交換機５が第１電話回線４に所定の電圧値の回線電圧を供給しているため、モデム４０を介して回線電圧を監視している。そしてファクシミリ通信制御部３０は、モデム４０から第１電話回線４を切り離した場合、監視している回線電圧が０［Ｖ］程度まで低下することで、通信が遮断されたものと見なし、待受状態に戻るための処理を実行する。すなわちファクシミリ通信制御部３０は、このとき通信部２７においてスイッチ４４をオフからオンに切り換えてモデム４０に第１電話回線４を再び接続する。またファクシミリ通信制御部３０は、回線開放処理を実行して回線開放することで第１電話交換機５との通信接続を解除し、これにより待受状態に戻る。
【００３５】
ところがファクシミリ通信制御部３０は、待受状態に戻っても、ループ閉成を検出し得なかった第１電話交換機５がまだ呼出信号を送信していると、モデム４０で呼出信号を受信する。このためファクシミリ通信制御部３０は、再度、上述と同様に回線捕捉し、直ちにモデム４０から第１電話回線４を切り離す。そして第１電話交換機５は、この際も第１ファクシミリ装置２の回線捕捉によるループ閉成を検出し得ないと、引き続き呼出信号を第１ファクシミリ装置２に送信する。またファクシミリ通信制御部３０は、このときもモデム４０に第１電話回線４を接続し、回線開放して待受状態に戻る。このようにしてファクシミリ通信制御部３０は、仮に回線捕捉したとき直ちにスイッチ４４をオフにしてモデム４０から第１電話回線４を切り離すように構成すると、例えば第２ファクシミリ装置７のような発信元が呼び出しを継続する限り、スイッチ４４の切換処理や回線捕捉処理及び回線開放処理を無駄に繰り返し実行することになる。
【００３６】
このためファクシミリ通信制御部３０は、ファクシミリ自動受信モードでモデム４０による呼出信号の受信に応じて回線捕捉すると、その回線捕捉時点から、第１電話交換機５がループ閉成を検出したと見なせる所定時間（以下、これを待機時間とも呼ぶ）だけ待機した後、スイッチ４４をオンからオフに切り換えている。ここでファクシミリ通信の伝送制御手順では、呼出信号の送信先が発信者番号通知サービスを利用している場合、第１電話交換機５や第２電話交換機９が、送信先に対して回線捕捉から０．１乃至３秒以内に発信者番号通知信号を送信するように規定されている。よって第１ファクシミリ装置２では、係る規定をもとに、ファクシミリ自動受信モードで回線捕捉したときの待機時間が例えば３秒以上の時間に選定されている。
【００３７】
これによりファクシミリ通信制御部３０は、通信部２７に第１電話回線４及び電話機３が逆接続されていても、ファクシミリ自動受信モードで回線捕捉した際、回線捕捉時点から待機時間に達するまでは、回線捕捉したまま、スイッチ４４のオンからオフへの切り換えを待機してモデム４０に第１電話回線４を接続しておくことができる。そしてファクシミリ通信制御部３０は、その待機時間の間、モデム４０に第１電話回線４を接続しておくため、第１電話交換機５に当該第１電話回線４を介して回線捕捉によるループ閉成を検出させることができる。
【００３８】
そしてファクシミリ通信制御部３０は、回線捕捉時点から待機時間後にモデム４０から第１電話回線４を切り離すと、引き続きモデム４０に第１電話回線４を接続し、回線開放するが、このとき第１電話交換機５に対しは、既にループ閉成を検出させているため、ファクシミリ通信の通信制御手順に従い次の処理を実行させることができる。すなわち第１電話交換機５は、ループ閉成を検出した後、第１ファクシミリ装置２において回線開放されて通信接続が解除されると、その回線開放によるループ開放を検出することができる。そして第１電話交換機５は、ループ開放を検出すると、第２電話交換機９を介して、第２ファクシミリ装置７のような発信元に対して発呼を中止させることができる。
【００３９】
（１−３）ファクシミリ通信処理手順
次いで図４（Ａ）乃至（Ｃ）に示すフローチャートを用いて、第１ファクシミリ装置２の制御部２０が、通信部２７に第１電話回線４及び電話機３が逆接続され、ファクシミリ自動通信モードで発信元の装置としての例えば第２ファクシミリ装置７と共に実行するファクシミリ通信処理手順について説明する。なお図４には、フローチャートを簡易化するために、第１電話交換機５、電話網６及び第２電話交換機９をまとめて網４７とし、これらが実行する処理についてもまとめて通信制御処理手順ＲＴ１として示している。
【００４０】
まず第２ファクシミリ装置７は、例えば操作者によって第１ファクシミリ装置２の電話番号が入力されたうえでファクシミリ通信の実行が指示されると、図４（Ａ）に示す発信処理手順ＲＴ２を開始する。そして第２ファクシミリ装置７は、発信処理手順ＲＴ２を開始すると、ステップＳＰ１において回線捕捉処理を実行して回線捕捉することで網４７としての第２電話交換機９と通信接続した後、次のステップＳＰ２に移る。そしてステップＳＰ２において第２ファクシミリ装置７は、発呼信号を網４７としての第２電話交換機９に送信して、次のステップＳＰ３に移る。この際、網４７の第２電話交換機９は、図４（Ｂ）に示す通信制御処理手順ＲＴ１を開始しており、ステップＳＰ１１において、第２電話回線８を介して第２ファクシミリ装置７の回線捕捉によるループ閉成を検出することで、次のステップＳＰ１２において第２ファクシミリ装置７から発呼信号が送信されることを待ち受ける。そしてステップＳＰ１２において網４７の第２電話交換機９は、第２ファクシミリ装置７から送信された発呼信号を受信すると、その旨を網４７としての電話網６を介して当該網４７としての第１電話交換機５に通知する。
【００４１】
よってステップＳＰ１３において網４７の第１電話交換機５は、第１ファクシミリ装置２に呼出信号を送信し始めて、当該第１ファクシミリ装置２の回線捕捉によるループ閉成の検出待状態になり、次のステップＳＰ１４に移る。この際、第１ファクシミリ装置２の制御部２０は、例えばユーザによる操作パネル２３の操作に応じてファクシミリ自動受信モードに設定すると、記憶部２４に記憶している受信処理プログラムに従い、図４（Ｃ）に示す受信処理手順ＲＴ３を開始している。そして第１ファクシミリ装置２の制御部２０は、受信処理手順ＲＴ３を開始すると、ステップＳＰ２１において待受状態になり、網４７としての第１電話交換機５から呼出信号が送信されることを待ち受ける。そしてステップＳＰ２１において第１ファクシミリ装置２の制御部２０は、網４７としての第１電話交換機５から送信された呼出信号をモデム４０で受信すると、次のステップＳＰ２２に移る。これによりステップＳＰ２２において第１ファクシミリ装置２の制御部２０は、呼出信号の受信時点から自動受信開始用の所定時間後に、自動的に回線捕捉処理を実行して回線捕捉することで網４７としての第１電話交換機５と通信接続すると共に、その回線捕捉時点に例えば内部のタイマにより計時を開始して、次のステップＳＰ２３に移る。
【００４２】
ステップＳＰ２３において第１ファクシミリ装置２の制御部２０は、タイマの計時時間が待機時間に達することを待ち受け、当該計時時間が待機時間に達すると、次のステップＳＰ２４に移る。これによりステップＳＰ２４において第１ファクシミリ装置２の制御部２０は、通信部２７においてスイッチ４４をオンからオフに切り換えて、次のステップＳＰ２５に移る。この際、ステップＳＰ２５において第１ファクシミリ装置２の制御部２０は、回線電圧の変化により、通信が遮断されたものと見なして、通信部２７においてスイッチ４４をオフからオンに切り換えてモデム４０に第１電話回線４を再び接続した後、次のステップＳＰ２６に移る。そしてステップＳＰ２６において第１ファクシミリ装置２の制御部２０は、回線開放処理を実行して回線開放することで、網４７としての第１電話交換機５との通信接続を解除して待受状態に戻る。
【００４３】
一方、網４７の第１電話交換機５は、第１ファクシミリ装置２が回線捕捉から待機時間、モデム４０からの第１電話回線４の切り離しを待機していたことで、その待機時間内のステップＳＰ１４において、第１電話回線４を介して第１ファクシミリ装置２の回線捕捉によるループ閉成を検出して、次のステップＳＰ１５に移る。そしてステップＳＰ１５において網４７の第１電話交換機５は、この場合、第１ファクシミリ装置２が回線捕捉に引き続き回線開放することで、第１電話回線４を介して回線開放によるループ開放を検出して、その旨を網４７としての電話網６を介して当該網４７としての第２電話交換機９に通知する。よってステップＳＰ１６において網４７の第２電話交換機９は、第２ファクシミリ装置７に、第１電話交換機５が第１ファクシミリ装置２と通信接続し得ないことを通知するための話中音信号を送信する。
【００４４】
またステップＳＰ３において第２ファクシミリ装置７は、網４７としての第２電話交換機９から何らかの手順信号が送信されることを待ち受けており、当該第２電話交換機９から送信された話中音信号を受信すると、次のステップＳＰ４に移る。そしてステップＳＰ４において第２ファクシミリ装置７は、その話中音信号の受信に応じて、現在、第１ファクシミリ装置２とファクシミリ通信し得ないと判断する。これにより第２ファクシミリ装置７は、回線開放処理を実行して回線開放することで、網４７としての第２電話交換機９との通信接続を解除した後、次のステップＳＰ５に移って発信処理手順ＲＴ２を終了する。
【００４５】
このようにして第１ファクシミリ装置２の制御部２０は、通信部２７に第１電話回線４及び電話機３が逆接続され、回線捕捉に応じてモデム４０から第１電話回線４を切り離しても、その際にスイッチ４４の切換処理や回線捕捉処理及び回線開放処理を無駄に繰り返し実行することなく、第２ファクシミリ装置７及び網４７とのファクシミリ通信処理手順を速やかに終了することができる。なお第１ファクシミリ装置２の制御部２０は、通信部２７に第１電話回線４及び電話機３が正常に接続されている（すなわち回線用コネクタ４２に第１電話回線４が接続され、かつ電話機用コネクタ４３に電話機３が接続されている）場合も、ファクシミリ自動受信モードで呼出信号を受信して回線捕捉すると、待機時間後にスイッチ４４をオンからオフに切り換える。そして第１ファクシミリ装置２の制御部２０は、この際、モデム４０から第１電話回線４ではなく電話機３を切り離すため、発信元が第２ファクシミリ装置７であると、通信部２７のモデム４０により、当該第２ファクシミリ装置７から網４７を介して送信されるファクシミリ画像データ等を受信することができる。
【００４６】
（１−４）第１の実施の形態の動作及び効果
以上の構成において、ファクシミリ通信システム１において第１ファクシミリ装置２は、通信部２７に同一構造の回線用コネクタ４２及び電話機用コネクタ４３が設けられている。また第１ファクシミリ装置２は、通信部２７においてモデム４０に回線用コネクタ４２を直接接続するものの、当該モデム４０及び回線用コネクタ４２にスイッチ４４を介して電話機用コネクタ４３を接続している。そして第１ファクシミリ装置２は、ファクシミリ自動受信モード時、スイッチ４４をオンにしてモデム４０に電話機用コネクタ４３を接続したまま待受状態になる。この状態で第１ファクシミリ装置２は、第２ファクシミリ装置７の発呼要求に応じて第１電話交換機５から送信された呼出信号をモデム４０で受信すると、自動的に回線捕捉処理を実行して回線捕捉する。ただし第１ファクシミリ装置２は、この際、回線捕捉時点から待機時間、スイッチ４４をオンにしてモデム４０に電話機用コネクタ４３を接続したまま、そのスイッチ４４の切り換えを待機し、当該待機時間後にスイッチ４４をオンからオフに切り換えてモデム４０及び回線用コネクタ４２から電話機用コネクタ４３を切り離す。
【００４７】
以上の構成によれば、ファクシミリ通信システム１は、第１ファクシミリ装置２において通信部２７のモデム４０に電話機用コネクタ４３及び回線用コネクタ４２を介して第１電話回線４及び電話機３が逆接続されていても、ファクシミリ自動受信モードで回線捕捉した際、回線捕捉時点から待機時間までスイッチ４４の切り換えを待機してモデム４０に第１電話回線４を接続しておくことで、その待機時間に第１電話交換機５に対し第１電話回線４を介して第１ファクシミリ装置２の回線捕捉によるループ閉成を確実に検出させることができる。よってファクシミリ通信システム１は、第１ファクシミリ装置２において回線捕捉時点から待機時間後にモデム４０から第１電話回線４を一旦切り離しても、第１電話交換機５に第１ファクシミリ装置２の回線捕捉によるループ閉成の検出後の処理を的確に実行させることができる。これによりファクシミリ通信システム１は、第１ファクシミリ装置２において通信部２７に第１電話回線４及び電話機３が逆接続され、回線捕捉後にモデム４０から第１電話回線４を切り離しても、その際にスイッチ４４の切換処理や回線捕捉処理及び回線開放処理を無駄に繰り返し実行することなく、受信処理を速やかに終了することができる。かくしてファクシミリ通信システム１は、第１ファクシミリ装置２の使い勝手を向上させることができる。
【００４８】
（２）第２の実施の形態
（２−１）ファクシミリ通信システムの構成
次いで、第２の実施の形態によるファクシミリ通信システム５０（図１）について説明する。ただし第２の実施の形態によるファクシミリ通信システム５０は、上述した第１の実施の形態によるファクシミリ通信システム１（図１）と、第１ファクシミリ装置５１（図１）の構成が一部異なることを除いて同様に構成されている。よって第２の実施の形態によるファクシミリ通信システム５０の構成については、図１を用いた上述の説明を参照することとし、ここでの説明は省略する。
【００４９】
（２−２）第１ファクシミリ装置の回路構成
次いで第２の実施の形態による第１ファクシミリ装置５１（図２）の回路構成について説明する。第２の実施の形態による第１ファクシミリ装置５１は、上述した第１の実施の形態による第１ファクシミリ装置２（図２）と、制御部５２がファクシミリ通信制御部５３として処理を実行して実現する機能の一部が異なることを除いて同様に構成されている。すなわちファクシミリ通信制御部５３は、第１ファクシミリ装置５１の起動時や、動作中の一定周期、また当該第１ファクシミリ装置５１が発信元となるファクシミリ通信の開始直前等のように待受状態の種々のタイミングで、通信部２７に第１電話回線４及び電話機３が逆接続されているか否かを検出する接続状態検出処理を実行している。
【００５０】
ファクシミリ通信制御部５３は、接続状態検出処理を開始すると、まず自動的に回線捕捉処理を実行して回線捕捉することで第１電話交換機５と通信接続する。そしてファクシミリ通信制御部５３は、スイッチ４４を一旦オフにしてモデム４０から電話機用コネクタ４３を切り離し、その状態で当該モデム４０を介して回線電圧を検出する。ここでモデム４０から見て、第１電話交換機５から第１電話回線４に供給されている回線電圧は、当該モデム４０に第１電話回線４を接続した状態で回線捕捉すると、回線捕捉前より低下するものの、０［Ｖ］よりもある程度高い所定の規定電圧値（以下、これを回線捕捉時規定電圧値とも呼ぶ）になる。
【００５１】
そしてファクシミリ通信制御部５３は、通信部２７に第１電話回線４及び電話機３が正常に接続されていると、スイッチ４４をオフにしてもモデム４０に第１電話回線４を接続している。よってファクシミリ通信制御部５３が回線捕捉した状態でモデム４０を介して検出する回線電圧は、通信部２７に第１電話回線４及び電話機３が正常に接続された状態でスイッチ４４をオフにすると、回線捕捉時規定電圧値になる。これに対してファクシミリ通信制御部５３は、通信部２７に第１電話回線４及び電話機３が逆接続されていると、スイッチ４４をオフにすることでモデム４０から第１電話回線４を切り離す。よってファクシミリ通信制御部５３が回線捕捉した状態でモデム４０を介して検出する回線電圧は、通信部２７に第１電話回線４及び電話機３が逆接続されている状態でスイッチ４４をオフにすると、回線捕捉時規定電圧値よりも低い０［Ｖ］程度の電圧値になる。
【００５２】
このためファクシミリ通信制御部５３は、回線捕捉した状態でスイッチ４４を一旦オフにすると、そのとき検出した回線電圧の電圧値（以下、これをスイッチオフ時回線電圧値とも呼ぶ）を、予め０［Ｖ］よりも大きく、かつ回線捕捉時規定電圧値よりも低くなるように適宜選定された所定の電圧値である閾値と比較する。その結果、ファクシミリ通信制御部５３は、スイッチオフ時回線電圧値が閾値よりも高いと、通信部２７に第１電話回線４及び電話機３が正常に接続されていると判断する。またファクシミリ通信制御部５３は、スイッチオフ時回線電圧値が閾値よりも低いと、通信部２７に第１電話回線４及び電話機３が逆接続されていると判断する。このようにしてファクシミリ通信制御部５３は、通信部２７に対する第１電話回線４及び電話機３の接続状態を検出し、当該検出した接続状態（すなわち正常な接続状態であること、又は逆接続状態であること）を示す接続状態検出情報を記憶部２４に記憶する。
【００５３】
因みにファクシミリ通信制御部５３は、接続状態検出処理を実行した場合、記憶部２４に、過去に検出した接続状態を示す接続状態検出情報を既に記憶していると、今回検出した接続状態を示す接続状態検出情報を過去のものに上書きして記憶する。そしてファクシミリ通信制御部５３は、回線開放処理を実行して回線開放することで第１電話交換機５との通信接続を解除する。またファクシミリ通信制御部５３は、スイッチ４４を再びオンにしてモデム４０に電話機用コネクタ４３を接続して待受状態に戻り、接続状態検出処理を終了する。このようにしてファクシミリ通信制御部５３は、接続状態検出処理を実行して記憶部２４に接続状態検出情報を記憶すると、この後のファクシミリ通信の際に、当該記憶部２４に記憶している接続状態検出情報を利用している。
【００５４】
実際にファクシミリ通信制御部５３は、操作パネル２３を介して第２ファクシミリ装置７の電話番号が入力されたうえでファクシミリ通信の実行が指示されると、記憶部２４から接続状態検出情報を読み出す。そしてファクシミリ通信制御部５３は、接続状態検出情報に基づき、通信部２７に第１電話回線４及び電話機３が正常に接続されているか否かを判別する。ここで、第１ファクシミリ装置５１は、通信部２７に第１電話回線４及び電話機３が正常に接続されていると、スイッチ４４をオンからオフに切り換えても、モデム４０に第１電話回線４が接続されたままとなり、ファクシミリ通信を行うことができる。によってファクシミリ通信制御部５３は、通信部２７に第１電話回線４及び電話機３が正常に接続されていると、回線捕捉後にスイッチ４４をオンからオフに切り換えたうえで、第１ファクシミリ装置２を発信元として第２ファクシミリ装置７とファクシミリ通信する。
【００５５】
これに対して第１ファクシミリ装置５１は、通信部２７に第１電話回線４及び電話機３が逆接続されていると、スイッチ４４をオンからオフに切り換えた際、モデム４０から第１電話回線４を切り離し、ファクシミリ通信を行うことができない。よってファクシミリ通信制御部５３は、通信部２７に第１電話回線４及び電話機３が逆接続されていると、例えば表示部２２を介してユーザに、通信部２７に第１電話回線４及び電話機３が逆接続されていることでファクシミリ通信し得ないことを通知して、第１ファクシミリ装置２を発信元とする第２ファクシミリ装置７とのファクシミリ通信を行わない。
【００５６】
またファクシミリ通信制御部５３は、ファクシミリ自動受信モードで第１電話交換機５から送信された呼出信号をモデム４０によって受信すると、このときにも記憶部２４から接続状態検出情報を読み出す。そしてファクシミリ通信制御部５３は、接続状態検出情報に基づき、通信部２７に第１電話回線４及び電話機３が正常に接続されているか否かを判別する。ここでファクシミリ通信制御部５３は、通信部２７に第１電話回線４及び電話機３が正常に接続されていると、回線捕捉後、直ちにスイッチ４４をオンからオフに切り換えても、モデム４０に第１電話回線４を接続したままにしているため、第１電話交換機５に第１電話回線４を介して回線捕捉によるループ閉成を的確に検出させることができる。よってファクシミリ通信制御部５３は、通信部２７に第１電話回線４及び電話機３が正常に接続されていると、回線捕捉後、特に待機せずにスイッチ４４をオフにする。これによりファクシミリ通信制御部３０は、上述した第１の実施の形態の場合に比して、第１電話交換機５と共に回線捕捉後に実行すべき互いの処理に迅速に移行することができる。
【００５７】
これに対してファクシミリ通信制御部５３は、通信部２７に第１電話回線４及び電話機３が逆接続されていると、スイッチ４４のオンからオフへの切り換えた際、モデム４０から第１電話回線４を一旦切り離すことになる。よってファクシミリ通信制御部５３は、通信部２７に第１電話回線４及び電話機３が逆接続されていると、上述した第１の実施の形態の場合と同様に回線捕捉から待機時間まで待機した後、スイッチ４４をオフにする。これによりファクシミリ通信制御部５３は、第１電話交換機５に第１電話回線４を介して回線捕捉によるループ閉成を的確に検出させることができる。このようにしてファクシミリ通信制御部５３は、ファクシミリ自動受信モードでモデム４０により呼出信号を受信したときには、通信部２７に対する第１電話回線４及び電話機３の接続状態に応じて、回線捕捉後のスイッチ４４の切換タイミングを制御するものの、何れの接続状態でも第１電話交換機５に第１電話回線４を介してループ閉成を的確に検出させることができる。因みにファクシミリ通信制御部５３は、ファクシミリ自動受信モード以外の待受状態で、第２ファクシミリ装置７による発呼要求に応じて第１電話交換機５から呼出信号が送信され、これに応じてファクシミリ通信を行うときにも、ファクシミリ自動受信モード時と同様に、通信部２７に対する第１電話回線４及び電話機３の接続状態に応じて、回線捕捉後のスイッチ４４の切換タイミングを制御している。
【００５８】
（２−３）接続状態検出処理手順
次いで図５に示すフローチャートを用いて、第１ファクシミリ装置５１の制御部５２が実行する接続状態検出処理手順ＲＴ４について説明する。制御部５２は、接続状態検出処理を実行すべき上述した種々のタイミングになると、例えば記憶部２４に予め記憶している接続状態検出処理プログラムに従い、図５に示す接続状態検出処理手順ＲＴ４を開始する。制御部５２は、接続状態検出処理手順ＲＴ４を開始すると、ステップＳＰ４１において回線捕捉処理を実行して回線捕捉することで第１電話交換機５と通信接続して、次のステップＳＰ４２に移る。ステップＳＰ４２において制御部５２は、通信部２７においてスイッチ４４をオンからオフに切り換えて、次のステップＳＰ４３に移る。ステップＳＰ４３において制御部５２は、モデム４０を介して、回線電圧のスイッチオフ時回線電圧値を検出して、次のステップＳＰ４４に移る。
【００５９】
そしてステップＳＰ４４において制御部５２は、回線電圧のスイッチオフ時回線電圧値を閾値と比較して、当該スイッチオフ時回線電圧値が閾値よりも低いか否かを判別する。このステップＳＰ４４において否定結果が得られると、このことは回線電圧のスイッチオフ時回線電圧値が閾値よりも高く、スイッチ４４をオフにしてもモデム４０に第１電話回線４が接続されたままであるため、通信部２７に第１電話回線４及び電話機３が正常に接続されていることを表している。よってステップＳＰ４４において制御部５２は、係る否定結果を得ると、次のステップＳＰ４５に移る。これによりステップＳＰ４５において制御部５２は、記憶部２４に対し、通信部２７に第１電話回線４及び電話機３が正常に接続されていること（すなわち正常な接続状態であること）を示す接続状態検出情報を記憶して、次のステップＳＰ４６に移る。
【００６０】
これに対してステップＳＰ４４において肯定結果が得られると、このことは回線電圧のスイッチオフ時回線電圧値が閾値よりも低く、スイッチ４４をオフにしたことでモデム４０から第１電話回線４が切り離されているため、通信部２７に第１電話回線４及び電話機３が逆接続されていることを表している。よってステップＳＰ４４において制御部５２は、係る肯定結果を得ると、ステップＳＰ４７に移る。これによりステップＳＰ４７において制御部５２は、記憶部２４に対し、通信部２７に第１電話回線４及び電話機３が逆接続されていること（すなわち逆接続状態であること）を示す接続状態検出情報を記憶して、ステップＳＰ４６に移る。
【００６１】
ステップＳＰ４６において制御部５２は、回線開放処理を実行して回線開放することで第１電話交換機５との通信接続を解除して、次のステップＳＰ４８に移る。そしてステップＳＰ４８において制御部５２は、通信部２７においてスイッチ４４をオフからオンに切り換えて待受状態に戻った後、次のステップＳＰ４９に移って接続状態検出処理手順ＲＴ４を終了する。
【００６２】
（２−４）送信処理手順
次いで図６に示すフローチャートを用いて、第１ファクシミリ装置５１の制御部５２が、第１ファクシミリ装置５１を発信元として例えば第２ファクシミリ装置７とファクシミリ通信する際の送信処理手順ＲＴ５について説明する。制御部５２は、操作パネル２３を介して第２ファクシミリ装置７の電話番号が入力されたうえでファクシミリ通信の実行が指示されると、例えば記憶部２４に予め記憶している送信処理プログラムに従い、図６に示す送信処理手順ＲＴ５を開始する。制御部５２は、送信処理手順ＲＴ５を開始すると、ステップＳＰ５１において記憶部２４から接続状態検出情報を読み出して、次のステップＳＰ５２に移る。
【００６３】
そしてステップＳＰ５２において制御部５２は、接続状態検出情報に基づき、通信部２７に対する第１電話回線４及び電話機３の接続状態が正常な接続状態であるか否かを判別する。このステップＳＰ５２において肯定結果が得られると、このことは回線用コネクタ４２に第１電話回線４が接続され、かつ電話機用コネクタ４３に電話機３が接続されていることを表している。すなわち係る肯定結果は、この後、スイッチ４４をオフにすると、モデム４０に第１電話回線４は接続したまま電話機３を切り離すことで、ファクシミリ通信用に送受信する手順信号やファクシミリ画像データに音声信号がノイズとして重畳されることを回避してファクシミリ通信を行い得ることを表している。ステップＳＰ５２において制御部５２は、係る肯定結果を得ると、次のステップＳＰ５３に移る。
【００６４】
ステップＳＰ５３において制御部５２は、回線捕捉処理を実行して回線捕捉することで第１電話交換機５と通信接続した後、通信部２７においてスイッチ４４をオンからオフに切り換えてモデム４０及び第１電話回線４から電話機３を切り離し、次のステップＳＰ５４に移る。これによりステップＳＰ５４において制御部５２は、第２ファクシミリ装置７との間で、種々の手順信号の送受信やファクシミリ画像データの送信等からなるファクシミリ通信を行った後、次のステップＳＰ５５に移る。そしてステップＳＰ５５において制御部５２は、回線開放処理を実行して回線開放することで第１電話交換機５との通信接続を解除した後、通信部２７においてスイッチ４４をオフからオンに切り換えてモデム４０に第１電話回線４と共に電話機３を接続して待受状態に戻り、次のステップＳＰ５６に移って送信処理手順ＲＴ５を終了する。
【００６５】
これに対してステップＳＰ５２において否定結果が得られると、このことは回線用コネクタ４２に電話機３が接続され、かつ電話機用コネクタ４３に第１電話回線４が接続されていることを表している。すなわち係る否定結果は、引き続きファクシミリ通信を行おうとしても、ファクシミリ通信用に送受信する手順信号やファクシミリ画像データに音声信号がノイズとして重畳されることを回避するためにスイッチ４４をオフにすると、モデム４０から第１電話回線４を切り離してしまいファクシミリ通信し得ないことを表している。ステップＳＰ５２において制御部５２は、係る否定結果を得ると、ステップＳＰ５７に移る。よってステップＳＰ５７において制御部５２は、ユーザに、通信部２７に第１電話回線４及び電話機３が逆接続されているためにファクシミリ通信し得ないことを通知した後、ステップＳＰ５６に移って送信処理手順ＲＴ５を終了する。これにより制御部５２は、通信部２７に第１電話回線４及び電話機３が逆接続されている場合、第１ファクシミリ装置２を発信元とする第２ファクシミリ装置７とのファクシミリ通信を取り止める。
【００６６】
（２−５）受信処理手順
次いで図４及び図５との対応部分に同一符号を付した図７に示すフローチャートを用いて、第１ファクシミリ装置５１の制御部５２が、ファクシミリ自動受信モードで実行する受信処理手順ＲＴ６について説明する。なお以下には、係る受信処理手順ＲＴ６を、第２ファクシミリ装置７が発信元になって第１ファクシミリ装置５１とのファクシミリ通信を要求した場合を例にして説明する。制御部５２は、例えばユーザによる操作パネル２３の操作に応じてファクシミリ自動受信モードに設定すると、記憶部２４に予め記憶している受信処理プログラムに従い、図７に示す受信処理手順ＲＴ６を開始する。制御部５２は、受信処理手順ＲＴ６を開始すると、ステップＳＰ２１において待受状態になり、第１電話交換機５から呼出信号が送信されることを待ち受ける。そしてステップＳＰ２１において制御部５２は、第１電話交換機５から送信された呼出信号をモデム４０で受信すると、次のステップＳＰ６１に移る。
【００６７】
ステップＳＰ６１において制御部５２は、記憶部２４から接続状態検出情報を読み出して、次のステップＳＰ６２に移る。そしてステップＳＰ６２において制御部５２は、接続状態検出情報に基づき、通信部２７に対する第１電話回線４及び電話機３の接続状態が正常な接続状態であるか否かを判別する。このステップＳＰ６２において否定結果が得られると、このことは回線用コネクタ４２に電話機３が接続され、かつ電話機用コネクタ４３に第１電話回線４が接続されていることを表している。すなわち係る否定結果は、この後、回線捕捉してスイッチ４４をオフにすると、モデム４０から第１電話回線４を切り離すため、回線捕捉後に直ちにスイッチ４４をオフにしたのでは、第１電話交換機５が回線捕捉によるループ閉成を検出し得ない場合があることを表している。よってステップＳＰ６２において制御部５２は、係る否定結果を得ると、ステップＳＰ２２に移る。これにより制御部５２は、ステップＳＰ２２の処理を実行した後、ステップＳＰ２３乃至ステップＳＰ２６の処理を順次実行して待受状態に戻る。
【００６８】
これに対してステップＳＰ６２において肯定結果が得られると、このことは回線用コネクタ４２に第１電話回線４が接続され、かつ電話機用コネクタ４３に電話機３が接続されていることを表している。すなわち係る肯定結果は、この後、回線捕捉してスイッチ４４をオフにすると、モデム４０に第１電話回線４は接続したまま電話機３を切り離すため、回線捕捉後に直ちにスイッチ４４をオフにしても、第１電話交換機５に回線捕捉によるループ閉成を検出させ得ることを表している。よってステップＳＰ６２において制御部５２は、係る肯定結果を得ると、ステップＳＰ６３に移る。そしてステップＳＰ６３において制御部５２は、呼出信号の受信時点から自動受信開始用の所定時間後に、自動的に回線捕捉処理を実行して回線捕捉することで第１電話交換機５と通信接続して、次のステップＳＰ６４に移る。またステップＳＰ６４において制御部５２は、回線捕捉後に特に待機することなく、通信部２７においてスイッチ４４をオンからオフに切り換えることで、この場合はモデム４０及び第１電話回線４から電話機３を切り離し、次のステップＳＰ６５に移る。これによりステップＳＰ６５において制御部５２は、第２ファクシミリ装置７と間で、種々の手順信号の送受信やファクシミリ画像データの受信等からなるファクシミリ通信を行った後、ステップＳＰ２５に移る。そして制御部５２は、ステップＳＰ２５の処理を実行した後、ステップＳＰ２６の処理を実行して待受状態に戻る。
【００６９】
（２−６）第２の実施の形態の動作及び効果
以上の構成において、ファクシミリ通信システム５０において第１ファクシミリ装置５１は、接続状態検出処理を実行して、通信部２７に対する第１電話回線４及び電話機３の接続状態を検出する。以上の構成によれば、ファクシミリ通信システム５０は、第１ファクシミリ装置５１において、通信部２７に第１電話回線４及び電話機３が逆接続されていても、ファクシミリ自動受信モードでモデム４０により呼出信号を受信して回線捕捉した際のスイッチ４４の切換を、通信部２７に対する第１電話回線４及び電話機３の接続状態の検出結果に応じて待機させるように制御して、第１電話交換機５に当該回線捕捉によるループ閉成を確実に検出させることができる。これによりファクシミリ通信システム５０は、第１ファクシミリ装置５１において通信部２７に第１電話回線４及び電話機３が逆接続されていても、上述した第１の実施の形態によって得られる効果と同様の効果を得ることができる。
【００７０】
またファクシミリ通信システム５０は、第１ファクシミリ装置５１においてファクシミリ自動受信モードでモデム４０により呼出信号を受信した際、通信部２７に第１電話回線４及び電話機３が逆接続されていると、回線捕捉から待機時間まで待機した後、スイッチ４４をオフにするものの、通信部２７に第１電話回線４及び電話機３が正常に接続されていると、回線捕捉後、特に待機せずにスイッチ４４をオフにする。これによりファクシミリ通信システム５０は、第１ファクシミリ装置５１においてファクシミリ自動受信モードでモデム４０により呼出信号を受信した際、通信部２７に対する第１電話回線４及び電話機３の接続状態に応じて、回線捕捉後のスイッチ４４の切換タイミングを制御するものの、何れの接続状態でも第１電話交換機５に第１電話回線４を介して回線捕捉によるループ閉成を的確に検出させることができる。
【００７１】
これに加えてファクシミリ通信システム５０は、第１ファクシミリ装置５１において通信部２７に第１電話回線４及び電話機３が正常に接続されている場合は、特に第１ファクシミリ装置５１及び第１電話交換機５に対して回線捕捉後、実行すべき互いの処理に迅速に移行させることができる。なおファクシミリ通信システム５０は、第１ファクシミリ装置５１においてファクシミリ自動受信モード以外で呼出信号を受信する際にも、同様に通信部２７に対する第１電話回線４及び電話機３の接続状態に応じて、回線捕捉後のスイッチ４４の切換タイミングを制御する。これによりファクシミリ通信システム５０は、第１ファクシミリ装置５１においてファクシミリ自動受信モード以外で呼出信号を受信する際にも、当該ファクシミリ自動受信モードで呼出信号を受信する場合と同様の効果を得ることができる。
【００７２】
さらにファクシミリ通信システム５０は、第１ファクシミリ装置５１においてファクシミリ通信の実行が指示されたときにも、通信部２７に対する第１電話回線４及び電話機３の接続状態の検出結果を利用する。すなわちファクシミリ通信システム５０は、第１ファクシミリ装置５１において通信部２７に第１電話回線４及び電話機３が正常に接続されている場合は、当該第１ファクシミリ装置２を発信元としてファクシミリ通信するものの、通信部２７に第１電話回線４及び電話機３が逆接続されている場合は、第１ファクシミリ装置２を発信元とするファクシミリ通信を行わない。これによりファクシミリ通信システム５０は、第１ファクシミリ装置５１において通信部２７に第１電話回線４及び電話機３が逆接続されている場合、回線接続処理やスイッチ４４の切換処理を無駄に実行することを防止することができ、かくして第１ファクシミリ装置５１の使い勝手を、さらに向上させることができる。
【００７３】
そしてファクシミリ通信システム５０は、第１ファクシミリ装置５１において通信部２７に第１電話回線４及び電話機３が逆接続されているため、第１ファクシミリ装置２を発信元とするファクシミリ通信を行わないときには、その旨をユーザに通知する。これによりファクシミリ通信システム５０は、第１ファクシミリ装置５１のユーザに対し、通信部２７に第１電話回線４及び電話機３が逆接続されていることを認識させて、当該通信部２７に対する第１電話回線４及び電話機３の接続状態を改善するように促すことができる。
【００７４】
（３）他の実施の形態
（３−１）他の実施の形態１
なお上述した第１及び第２の実施の形態においては、第１ファクシミリ装置２、５１がファクシミリ自動受信モードで回線捕捉したときにスイッチ４４の切り換えを待機する待機時間を、ファクシミリ通信の伝送制御手順による発信者番号通知信号の送信に関する規定をもとに、例えば３秒以上の時間に選定する場合について述べた。しかしながら本発明は、これに限らず、係る待機時間を、例えば回線捕捉時点から第１電話交換機５により送信されたファクシミリ識別信号をモデム４０で受信するまでの時間に選定しても良い。すなわち本発明は、係る待機時間を、回線捕捉時点から第１電話交換機５がループ閉成を検出したと見なせる、この他種々の時間に選定することができる。そして本発明は、このように待機時間を種々の時間に選定しても、第１電話交換機５に回線捕捉によるループ閉成を検出させることができる。
【００７５】
（３−２）他の実施の形態２
また上述した第２の実施の形態においては、第１ファクシミリ装置５１が接続状態検出処理を実行して、通信部２７に対する第１電話回線４及び電話機３の接続状態を示す接続状態検出情報を記憶部２４に記憶しておき、ファクシミリ通信の実行が指示されたとき、記憶部２４から接続状態検出情報を読み出して、ファクシミリ通信を行うか否かを判別するために利用する場合について述べた。しかしながら本発明は、これに限らず、例えば図６及び図７との対応部分に同一符号を付した図９に示すように、第１ファクシミリ装置５１の制御部５２が、ファクシミリ通信の実行指示に応じて送信処理手順ＲＴ７を開始することで、ステップＳＰ４１乃至ステップＳＰ４４の処理を順次実行して、通信部２７に対する第１電話回線４及び電話機３の接続状態を検出し、その検出結果に応じてステップＳＰ５４又はステップＳＰ５６の処理を実行した後、ステップＳＰ５５の処理を実行してステップＳＰ７１に移り送信処理手順ＲＴ７を終了するように、送信処理と共に接続状態検出処理を実行しても良い。
【００７６】
本発明は、係る構成によれば、第１ファクシミリ装置５１においてファクシミリ通信の実行が指示されたとき、通信部２７に対する第１電話回線４及び電話機３の、そのときの接続状態に応じてファクシミリ通信を行うか否かを判別させることができる。よって本発明は、第１ファクシミリ装置５１が接続状態検出処理を実行して、通信部２７に第１電話回線４及び電話機３が逆接続されていることを検出した後、その接続状態が改善されていたにも係わらず、ファクシミリ通信の実行が指示された際、記憶部２４から読み出した接続状態検出情報に応じてファクシミリ通信を行わないように判別することを回避することができる。
【００７７】
（３−３）他の実施の形態３
さらに上述した第２の実施の形態においては、第１ファクシミリ装置５１が接続状態検出処理を実行して、通信部２７に対する第１電話回線４及び電話機３の接続状態を検出し、当該検出した接続状態を示す接続状態検出情報を記憶部２４に記憶する場合について述べた。しかしながら本発明は、これに限らず、第１ファクシミリ装置５１が接続状態検出処理を実行して、通信部２７に対する第１電話回線４及び電話機３の接続状態を検出するものの、当該通信部２７に第１電話回線４及び電話機３が逆接続されている場合は、その旨をユーザに通知しても良い。本発明は、係る構成によれば、ファクシミリ通信を実行する前に、通信部２７に対する第１電話回線４及び電話機３の接続状態を改善するように促すことができる。
【００７８】
（３−４）他の実施の形態４
さらに上述した第２の実施の形態においては、第１ファクシミリ装置５１が回線捕捉した後、スイッチ４４をオフにした状態で回線電圧を検出し、その検出結果に基づいて通信部２７に対する第１電話回線４及び電話機３の接続状態を検出する場合について述べた。しかしながら本発明は、これに限らず、第１ファクシミリ装置５１が回線捕捉せずにスイッチ４４をオフにした状態で例えば分圧器を介して回線電圧を検出し、その検出結果に基づいて通信部２７に対する第１電話回線４及び電話機３の接続状態を検出しても良い。本発明は、係る構成によれば、通信部２７に対する第１電話回線４及び電話機３の接続状態を検出する際、回線捕捉処理や回線開放処理を実行しない分、接続状態を検出するための処理を簡易化することができる。
【００７９】
なお本発明は、係る構成を例えば第１ファクシミリ装置５１のファクシミリ自動受信モード時の受信処理に適用しても良い。すなわち本発明は、ファクシミリ自動受信モードでモデム４０により呼出信号を受信した際、通信部２７に対する第１電話回線４及び電話機３の接続状態を検出した後、自動的に回線捕捉処理を実行して回線捕捉し、そのうえで接続状態の検出結果に応じて、上述と同様にスイッチ４４の切換タイミングを制御しても良い。
【００８０】
（３−５）他の実施の形態５
さらに上述した第１及び第２の実施の形態においては、第１ファクシミリ装置２、５１の制御部２０、５２が、記憶部２４に予め記憶された受信処理プログラム、送信処理プログラム及び接続状態検出処理プログラムに従って図４乃至図８について上述した受信処理手順ＲＴ３、ＲＴ６、送信処理手順ＲＴ５及び接続状態検出処理手順ＲＴ４を実行する場合について述べた。しかしながら本発明は、これに限らず、第１ファクシミリ装置２、５１において制御部２０、５２が受信処理プログラム、送信処理プログラム及び接続状態検出処理プログラムが記憶されたコンピュータ読取可能な記憶媒体によって当該受信処理プログラム、送信処理プログラム及び接続状態検出処理プログラムをインストールし、又はローカルエリアネットワークやインターネット、デジタル衛星放送等の有線及び無線通信媒体を利用して外部から受信処理プログラム、送信処理プログラム及び接続状態検出処理プログラムをインストールして受信処理手順ＲＴ３、ＲＴ６、送信処理手順ＲＴ５及び接続状態検出処理手順ＲＴ４を実行しても良い。そして、これら種々のプログラムを第１ファクシミリ装置２、５１にインストールして実行可能な状態にするためのコンピュータ読取可能な記憶媒体としては、例えばフレキシブルディスクや、ＣＤ−ＲＯＭ（Compact  Disc-Read  Only  Memory）、ＤＶＤ（Digital  Versatile  Disc）等のパッケージメディアで実現しても良く、各種プログラムが一時的もしくは永続的に記憶される半導体メモリや磁気ディスク等で実現しても良い。またコンピュータ読取可能な記憶媒体に、これら種々のプログラムを記憶する手段としては、ローカルエリアネットワークやインターネット、デジタル衛星放送等の有線及び無線通信媒体を利用しても良い。さらにコンピュータ読取可能な記憶媒体には、ルータやモデム等の各種通信インタフェースを介して、これら種々のプログラムを記憶しても良い。
【００８１】
（３−６）他の実施の形態６
さらに上述した第１及び第２の実施の形態においては、本発明によるファクシミリ装置を、図１乃至図８について上述した第１ファクシミリ装置２、５１に適用する場合について述べた。しかしながら本発明は、これに限らず、ファクシミリ通信の機能を有するコンピュータやＭＦＰ（Multi-Function  Peripheral）等のように、この他種々の構成のファクシミリ装置に広く適用することができる。
【００８２】
（３−７）他の実施の形態７
さらに上述した第１及び第２の実施の形態においては、電話回線を介して送信された呼出信号がモデムによって受信されると、回線捕捉処理を実行して回線捕捉するファクシミリ通信制御部として、図１乃至図８について上述した第１ファクシミリ装置２、５１の制御部２０、５２を適用する場合について述べた。しかしながら本発明は、これに限らず、ＣＰＵ（Central  Processing  Unit）や、電話回線を介して送信された呼出信号がモデムによって受信されると、回線捕捉処理を実行して回線捕捉するハードウェア構成のファクシミリ通信制御回路等のように、この他種々のファクシミリ通信制御部を広く適用することができる。
【００８３】
（３−８）他の実施の形態８
さらに上述した第１及び第２の実施の形態においては、モデムにより呼出信号の受信を待ち受ける待受状態では、スイッチをオンにしてモデム及び回線用コネクタに電話機用コネクタを接続し、ファクシミリ通信制御部により回線捕捉されると、所定時間、スイッチの切り換えを待機した後、当該スイッチをオフにしてモデム及び回線用コネクタから電話機用コネクタを切り離す切換制御部として、図１乃至図８について上述した第１ファクシミリ装置２、５１の制御部２０、５２を適用する場合について述べた。しかしながら本発明は、これに限らず、ＣＰＵや、モデムにより呼出信号の受信を待ち受ける待受状態では、スイッチをオンにしてモデム及び回線用コネクタに電話機用コネクタを接続し、ファクシミリ通信制御部により回線捕捉されると、所定時間、スイッチの切り換えを待機した後、当該スイッチをオフにしてモデム及び回線用コネクタから電話機用コネクタを切り離すハードウェア構成の切換制御回路等のように、この他種々の切換制御部を広く適用することができる。
【００８４】
（３−９）他の実施の形態９
さらに上述した第１及び第２の実施の形態においては、回線用コネクタ及び電話機用コネクタに対する電話回線及び電話機の接続状態を検出する検出部として、図１乃至図８について上述した第１ファクシミリ装置２、５１の制御部２０、５２を適用する場合について述べた。しかしながら本発明は、これに限らず、ＣＰＵや、回線用コネクタ及び電話機用コネクタに対する電話回線及び電話機の接続状態を検出するハードウェア構成の検出回路等のように、この他種々の検出部を広く適用することができる。
【００８５】
（３−１０）他の実施の形態１０
さらに上述した第１及び第２の実施の形態においては、検出部による接続状態の検出結果を通知する通知部として、図１乃至図８について上述した第１ファクシミリ装置２、５１の制御部２０、５２及び表示部２２を適用する場合について述べた。しかしながら本発明は、これに限らず、ＣＰＵやマイクロプロセッサ等の制御部及びスピーカ、ＣＰＵやマイクロプロセッサ等の制御部及びＬＥＤ（Light  Emitting  Diode）等のように、この他種々の通知部を広く適用することができる。
【００８６】
（３−１１）他の実施の形態１１
さらに上述した第１及び第２の実施の形態においては、ファクシミリ通信の実行が指示されると、モデムを介してファクシミリ通信を行うファクシミリ通信制御部として、図１乃至図８について上述した第１ファクシミリ装置２、５１の制御部２０、５２を適用する場合について述べた。しかしながら本発明は、これに限らず、ＣＰＵや、モファクシミリ通信の実行が指示されると、モデムを介してファクシミリ通信を行うハードウェア構成のファクシミリ通信制御回路等のように、この他種々のファクシミリ通信制御部を広く適用することができる。
【００８７】
（３−１２）他の実施の形態１２
さらに上述した第１及び第２の実施の形態においては、ファクシミリ通信の待受状態では、スイッチをオンにしてモデム及び回線用コネクタに電話機用コネクタを接続し、ファクシミリ通信制御部によりファクシミリ通信が行われる際には、スイッチをオフにしてモデム及び回線用コネクタから電話機用コネクタを切り離す切換制御部として、図１乃至図８について上述した第１ファクシミリ装置２、５１の制御部２０、５２を適用する場合について述べた。しかしながら本発明は、これに限らず、ＣＰＵや、ファクシミリ通信の待受状態では、スイッチをオンにしてモデム及び回線用コネクタに電話機用コネクタを接続し、ファクシミリ通信制御部によりファクシミリ通信が行われる際には、スイッチをオフにしてモデム及び回線用コネクタから電話機用コネクタを切り離すハードウェア構成の切換制御回路等のように、この他種々の切換制御部を広く適用することができる。
【産業上の利用可能性】
【００８８】
本発明は、ファクシミリ装置や、ファクシミリ通信の機能を有するコンピュータ及びＭＦＰ等に利用することができる。
【符号の説明】
【００８９】
２、５１……第１ファクシミリ装置、３……電話機、４……第１電話回線、５……第１電話交換機、２０、５２……制御部、２２……表示部、２４……記憶部、２７……通信部、４０……モデム、４２……回線用コネクタ、４３……電話機用コネクタ、４４……スイッチ、ＲＴ３、ＲＴ６……受信処理手順、ＲＴ４……接続状態検出処理手順、ＲＴ５、ＲＴ７……送信処理手順。
【図１】
2017028580.tif 000003
【図２】
2017028580.tif 000004
【図３】
2017028580.tif 000005
【図４】
2017028580.tif 000006
【図５】
2017028580.tif 000007
【図６】
2017028580.tif 000008
【図７】
2017028580.tif 000009
【図８】
2017028580.tif 000010
【図９】
2017028580.tif 000011